(57)【要約】【課題】原稿の読取動作を行う前に、区切りページの記憶をユーザに課すことなく、一連の画像データをユーザが望む態様で区切った形で電子ファイルを作成することのできる画像読取装置を提供する。【解決手段】原稿束を複数に分割した各分割束ごとに画像読取動作の開始指示を受け付けるようにし、今回画像読取動作を実施すべき分割束を複合機１にセットするよう、ユーザにガイド又は指示するようにした。また、１度電子ファイルの送信処理を行った後に、送信を行わなかった電子ファイル（送信対象として選択されなかった電子ファイル）をユーザに報知するための画面を表示部２６に表示し、それらの画像の中から送信したい画像の選択や送信指示の入力を再度受け付けるようにした。また、最後までパーソナルコンピュータへの送信対象として選択しなかった電子ファイルを複合機１に保存可能とした。【選択図】図４
2011035599.tif 000002
【特許請求の範囲】
【請求項１】
原稿の画像を読み取る画像読取部と、
原稿束を複数の分割束に分けて画像読取動作を前記画像読取部に行わせるか否かの入力を受け付ける第１入力操作部と、
前記第１入力操作部により原稿束を複数の分割束に分けて画像読取動作を前記画像読取部に行わせる旨の入力が受け付けられた場合に、原稿に対する画像読取動作を前記画像読取部に行わせる指示の入力を分割束ごとに受け付ける第２入力操作部と、
前記第２入力操作部により受け付けられた前記指示に対応して得られた前記各原稿の画像を前記分割束ごとに区分して保持する保持部と、
前記保持部に保持された画像の中から、予め定められた処理の対象とする画像を選択する入力を受け付ける第３入力操作部と、
前記第３入力操作部により選択された画像に対して前記予め定められた処理を実施する第１処理部と
を備える画像読取装置。
【請求項２】
前記複数の分割束のうち今回前記画像読取部に画像読取動作を行わせる対象の分割束を前記画像読取部にセットさせる指示を示すメッセージを出力するメッセージ出力部を更に備える請求項１に記載の画像読取装置。
【請求項３】
前記第１処理部による前記予め定められた処理の実施後に、前記第３入力操作部により前記予め定められた処理の対象とする画像として選択されなかった画像を報知するための画面を表示する表示部を更に備えた請求項１又は２に記載の画像読取装置。
【請求項４】
前記第３入力操作部により前記予め定められた処理の対象とする画像として選択されなかった画像の中から、前記予め定められた処理の対象とする画像を選択する入力を受け付ける第４入力操作部と、
前記第４入力操作部により選択された画像に対して前記予め定められた処理を実施する第２処理部と
を更に備える請求項３に記載の画像読取装置。
【請求項５】
画像を記憶する記憶部と、
前記第４入力操作部により前記予め定められた処理の対象とする画像として選択されなかった画像の中から、前記記憶部に記憶させる対象とする画像を選択する入力を行うための第５入力操作部と、
前記第５入力操作部により選択された画像を前記記憶部に格納する格納処理部と
を更に備える請求項４に記載の画像読取装置。
【発明の詳細な説明】
【技術分野】
【０００１】
本発明は、スキャナや複写機などの画像読取装置の技術分野に属するものである。
【背景技術】
【０００２】
一連の原稿に対する読取動作によって得られた各画像データを複数のファイルに分け、各ファイルを、ハードディスク等に格納したり、ネットワークを介してパーソナルコンピュータ等に送信したりする点が、例えば下記特許文献１に記載されている。
【０００３】
下記特許文献１には、「原稿が文書等で、読取りを行う前に区切りページが指定できる場合には、予め一つ又は複数の区切ページを入力できるように、ページ指定手段１７をプログラミングすることも可能である。これは例えば、ユーザが自動給紙装置１１に原稿をセットした段階で、表示手段１６に図３に示すような、区切ページの入力を促す表示３１を行うように、容量検出手段１５をプログラミングする。そして、区切の必要がある場合は、ユーザはテンキー２３により区切ページを入力する。この例では、１５ページ、３４ページ、４９ページ、５９ページで区切って、５つの画像ファイルを生成するようになっている。（［００２５］〜［００２６］）」と記載されている。
【先行技術文献】
【特許文献】
【０００４】
【特許文献１】特開２００６−１８０４０５号公報
【発明の概要】
【発明が解決しようとする課題】
【０００５】
しかしながら、前記特許文献１の技術にあっては、生成された各ファイルにどのページの画像が含まれているか、すなわち、原稿の読取動作を行う前にユーザが入力した区切りページを記憶しておく必要があり、面倒である。また、区切りページの記憶間違いがあると、一連の画像が間違ったページで区切られ、それに基づいて電子ファイルが生成されることになる。
【０００６】
本発明は、このような事情に鑑みて為された発明であり、原稿に対する画像読取動作を行う前に、区切りページの記憶をユーザに課すことなく、ユーザが望む態様で一連の画像が区切られた電子ファイルを作成することのできる画像読取装置を提供することを目的とする。
【課題を解決するための手段】
【０００７】
請求項１に記載の発明は、原稿の画像を読み取る画像読取部と、原稿束を複数の分割束に分けて画像読取動作を前記画像読取部に行わせるか否かの入力を受け付ける第１入力操作部と、前記第１入力操作部により原稿束を複数の分割束に分けて画像読取動作を前記画像読取部に行わせる旨の入力が受け付けられた場合に、原稿に対する画像読取動作を前記画像読取部に行わせる指示の入力を分割束ごとに受け付ける第２入力操作部と、前記第２入力操作部により受け付けられた前記指示に対応して得られた前記各原稿の画像を前記分割束ごとに区分して保持する保持部と、前記保持部に保持された画像の中から、予め定められた処理の対象とする画像を選択する入力を受け付ける第３入力操作部と、前記第３入力操作部により選択された画像に対して前記予め定められた処理を実施する第１処理部とを備える画像読取装置である。
【０００８】
この発明によれば、前記第１入力操作部により原稿束を複数の分割束に分けて画像読取動作を前記画像読取部に行わせる旨の入力が受け付けられると、分割束ごとに、原稿に対する画像読取動作を前記画像読取部に行わせる指示を入力する機会がユーザに与えられる。このとき、ユーザは、分割束ごとに前記画像読取部にセットし、分割束ごとに、原稿に対する画像読取動作を前記画像読取部に行わせる指示を入力し、画像読取装置は、前記第２入力操作部により前記指示が入力されるたびに、今回画像読取部にセットされた分割束の原稿に対する画像読取動作が実施される。
【０００９】
前記第２入力操作部による各指示に対応して得られた前記各原稿の画像は、前記分割束ごとに区分して前記保持部に保持され、この保持された画像の中から、予め定められた処理の対象とする画像を選択する入力を行う機会がユーザに与えられる。そして、前記第３入力操作部により画像が選択されると、前記第１処理部により、その選択された画像に対して前記予め定められた処理が実施される。
【００１０】
このように、原稿束を複数の分割束に分けて画像読取動作を前記画像読取部に行わせるか否かの入力を受け付けたり、或いは、原稿束を複数の分割束に分けて画像読取動作を前記画像読取部に行わせる旨の入力がなされた場合に、分割束ごとに、原稿に対する画像読取動作を前記画像読取部に行わせる指示の入力を受け付けたりすることができるようにしたので、原稿に対する画像読取動作を画像読取部に実施させる前に、原稿束を複数の分割束に分ける場合の区切りページを記憶しておくことをユーザに課すことなく、ユーザが望む態様で区切られた一連の画像を作成することが可能となる。
【００１１】
請求項２に記載の発明は、請求項１に記載の画像読取装置において、前記複数の分割束のうち今回前記画像読取部に画像読取動作を行わせる対象の分割束を前記画像読取部にセットさせる指示を示すメッセージを出力するメッセージ出力部を更に備えるものである。
【００１２】
この発明によれば、前記複数の分割束のうち今回前記画像読取部に画像読取動作を行わせる対象の分割束を前記画像読取部にセットさせる指示を示すメッセージを出力するようにしたので、分割束ごとに前記画像読取部にセットして、分割束ごとに、原稿に対する画像読取動作を前記画像読取部に行わせる指示を入力すべきであることをユーザに容易に認識させることができる。
【００１３】
請求項３に記載の発明は、請求項１又は２に記載の画像読取装置において、前記第１処理部による前記予め定められた処理の実施後に、前記第３入力操作部により前記予め定められた処理の対象とする画像として選択されなかった画像を報知するための画面を表示する表示部を更に備えたものである。
【００１４】
この発明によれば、前記第１処理部による前記予め定められた処理の実施後に、前記第３入力操作部により前記予め定められた処理の対象とする画像として選択されなかった画像を報知するための画面を表示部に表示するようにしたので、前記予め定められた処理の対象とした画像と前記予め定められた処理の対象としなかった画像とを確認する機会をユーザに与えることができる。これにより、前記予め定められた処理の対象とすべき画像を前記予め定められた処理の対象として選択し忘れていないか否かをユーザに確認させることができる。
【００１５】
請求項４に記載の発明は、請求項３に記載の画像読取装置において、前記第３入力操作部により前記予め定められた処理の対象とする画像として選択されなかった画像の中から、前記予め定められた処理の対象とする画像を選択する入力を受け付ける第４入力操作部と、前記第４入力操作部により選択された画像に対して前記予め定められた処理を実施する第２処理部とを更に備えるものである。
【００１６】
この発明によれば、前記第３入力操作部により前記予め定められた処理の対象とする画像として選択されなかった画像の中から、前記第４入力操作部を用いて画像が選択されると、前記第２処理部により、その画像に対して前記予め定められた処理を実施するようにしたので、前記第３入力操作部により、前記予め定められた処理の対象とすべき画像として選択し忘れた画像があっても、再び、前記予め定められた処理の対象とすべき画像として選択する機会がユーザに与えられる。これにより、前記予め定められた処理の対象とすべき画像を前記予め定められた処理の対象として選択し忘れていた場合に、その画像に対して前記予め定められた処理が施されること無く当該原稿束に対する一連の処理が終了するのをできるだけ回避することができる。
【００１７】
請求項５に記載の発明は、請求項４に記載の画像読取装置において、画像を記憶する記憶部と、前記第４入力操作部により前記予め定められた処理の対象とする画像として選択されなかった画像の中から、前記記憶部に記憶させる対象とする画像を選択する入力を行うための第５入力操作部と、前記第５入力操作部により選択された画像を前記記憶部に格納する格納処理部とを更に備えるものである。
【００１８】
この発明によれば、前記第４入力操作部により前記予め定められた処理の対象とする画像として選択されなかった画像の中から、前記記憶部に記憶させる対象とする画像が前記第５入力操作部により選択されると、前記格納処理部により、その画像が前記記憶部に格納されるようにしたので、前記第４入力操作部により前記予め定められた処理の対象とする画像として選択されなかった画像を、現時点では必要でなくても、後に必要なものとなった場合にその利用に供することができる。
【発明の効果】
【００１９】
本発明によれば、原稿の読取動作を行う前に、区切りページの記憶をユーザに課すことなく、ユーザが望む態様で一連の画像が区切られた電子ファイルを作成することのできる画像読取装置を実現することができる。
【図面の簡単な説明】
【００２０】
【図１】本発明に係る画像読取装置の一実施形態である複合機の内部構成を示す側面図である。
【図２】複合機の電気的な構成を示すブロック図である。
【図３】制御部の処理を示すフローチャートである。
【図４】制御部の処理を示すフローチャートである。
【図５】画面（１）を示す図である。
【図６】画面（２）を示す図である。
【図７】画面（３）を示す図である。
【図８】画面（４）を示す図である。
【図９】画面（５）を示す図である。
【図１０】画面（６）を示す図である。
【図１１】画面（７）を示す図である。
【図１２】画面（８）を示す図である。
【発明を実施するための形態】
【００２１】
以下、本発明に係る画像読取装置の実施形態について図面を参照しながら説明する。図１は、本発明に係る画像読取装置の一実施形態である複合機の内部構成を示す側面図である。
【００２２】
図１に示すように、複合機１は、コピーモード、プリンタモード、スキャナモード及びファクシミリモード等の各モードを備えており、本体部２と、本体部２の左方に配設されたスタックトレイ３と、本体部２の上部に配設された原稿読取部４と、原稿読取部４の上方に配設された原稿給送部５とを有している。
【００２３】
原稿読取部４は、ＣＣＤ(Charge Coupled Device)センサ及び露光ランプ等からなるスキャナ部６と、ガラス等の透明部材により構成された原稿台７と、原稿読取スリット８とを備える。スキャナ部６は、図略の駆動部によって移動可能に構成され、原稿台７に載置された原稿を読み取るときは、原稿台７に対向する位置で原稿面に沿って移動され、原稿画像を走査しつつ取得した画像データを図略の画像処理部へ出力する。また、原稿給送部５により給送された原稿を読み取るときは、原稿読取スリット８と対向する位置に移動され、原稿読取スリット８を介して原稿給送部５による原稿の搬送動作と同期して原稿の画像を取得し、その画像データを上記画像処理部へ出力する。
【００２４】
原稿給送部５は、原稿を載置するための原稿載置部９と、画像読み取り済みの原稿を排出するための原稿排出部１０と、原稿載置部９に載置された原稿を１枚ずつ繰り出して原稿読取スリット８に対向する位置へ搬送し、原稿排出部１０へ排出するための給紙ローラ（図略）、搬送ローラ（図略）等からなる原稿搬送機構１１を備える。原稿搬送機構１１は、さらに原稿を表裏反転させて原稿読取スリット８と対向する位置へ再搬送する用紙反転機構（図略）を備え、原稿の両面の画像を、原稿読取スリット８を介してスキャナ部６から読取可能にしている。
【００２５】
原稿給送部５は、その前面側が上方に移動可能となるように本体部２に対して回動自在に設けられている。原稿給送部５の前面側を上方に移動させて原稿台７の上面を開放することにより、該原稿台７の上面に読み取り原稿、例えば見開き状態にされた書籍等を操作者が載置できるようになっている。
【００２６】
本体部２は、複数の給紙カセット１２と、給紙カセット１２から記録紙を１枚ずつ繰り出して後述の画像形成部１４へ搬送する給紙ローラ１３と、給紙カセット１２から搬送されてきた記録紙に画像を形成する画像形成部１４とを備える。
【００２７】
画像形成部１４は、スキャナ部６等で取得された画像データに基づきレーザ等を出力して感光体ドラム１５を露光する光走査装置１６と、感光体ドラム１５の表面に形成された静電潜像を顕像化して画像を形成する現像部１７と、感光体ドラム１５上に形成された画像を記録紙に転写する転写部１８と、画像が転写された記録紙を加熱して該画像を記録紙に定着させる定着部１９と、画像形成部１４内の用紙搬送路中に設けられ、記録紙をスタックトレイ３又は排出トレイ２２まで搬送する搬送ローラ２０，２１等とを備える。
【００２８】
記録紙の両面に画像を形成する場合は、画像形成部１４で記録紙の一方の面に画像を形成した後、この記録紙を排出トレイ２２側の搬送ローラ２０にニップされた状態とする。この状態で搬送ローラ２０を反転させて記録紙をスイッチバックさせ、記録紙を用紙搬送路Ｌに送って画像形成部１４の上流域に再度搬送し、画像形成部１４により他方の面に画像を形成した後、記録紙をスタックトレイ３又は排出トレイ２２に排出する。
【００２９】
複合機１のフロント部には、操作部２３が設けられている。操作部２３には、ユーザが印刷実行指示を入力するためのスタートキー２４と、印刷部数等を入力するためのテンキー２５と、各種複写動作の操作ガイド情報等を表示し、これら各種設定入力用にタッチパネル機能を有する液晶ディスプレイ等からなる表示部２６と、表示部２６で設定された設定内容等をリセットするリセットキー２７と、実行中の印刷（画像形成）動作を停止させるためのストップキー２８と、コピー機能、プリンタ機能、スキャナ機能及びファクシミリ機能を切り換えるための機能切換キー２９とが備えられている。
【００３０】
図２は、複合機１の電気的な構成を示すブロック図である。なお、図１に示す構成と同一の構成については同一の番号を付してその説明を省略する。
【００３１】
図２に示すように、複合機１は、前述した原稿読取部４、原稿給送部５、原稿搬送機構１１、画像形成部１４及び操作部２３に加えて、各種のデータをパーソナルコンピュータなどの所定の外部機器との間で通信を行う通信部３０と、フラッシュメモリやハードディスクなどの記憶部３５と、前記原稿読取部４、原稿給送部５、原稿搬送機構１１、画像形成部１４、操作部２３及び通信部３０の各動作や処理を互いに関連付けて制御する制御部３１とを備える。
【００３２】
制御部３１は、データを一時的に保管する機能や作業領域としての機能を有するＲＡＭ（Random Access Memory）、プログラムを予め記憶するＲＯＭ（Read Only Memory）、及び、前記プログラム等をＲＯＭから読み出して実行するＣＰＵを備えて成り、ＣＰＵとＲＡＭやＲＯＭとの間でデータの授受を行うように構成されている。
【００３３】
また、制御部３１は、当該複合機１がスキャナとして機能する場合に、表示処理部３２と、格納処理部３３と、送信処理部３４とを機能的に備えており、これら各部は、次のような処理を実行する。図３、図４は、制御部３１の前記各部３２〜３４による処理を示すフローチャートである。
【００３４】
図３に示すように、操作部２３を用いてモードが選択されると、制御部３１は、選択されたモードがスキャナモードであるか否かを判断する（ステップ♯１）。制御部３１は、選択されたモードがスキャナモード以外のモード（例えばコピーモードなど）であると判断した場合には（ステップ♯１でＮＯ）、他のモード処理を実施する一方（ステップ♯２）、選択されたモードがスキャナモードであると判断した場合には（ステップ♯１でＹＥＳ）、表示処理部３２は、図５に示す画面（１）を表示部２６に表示する（ステップ♯３）。
【００３５】
図５に示す画面（１）は、原稿の画像を複数の電子ファイルに分割して送信するか否かをユーザに選択させる画面であり、原稿の画像を複数の電子ファイルに分割して送信しない指示を入力するための「設定しない」ボタンＢ１と、原稿の画像を複数の電子ファイルに分割して送信する指示を入力するための「設定する」ボタンＢ２とを有する。「設定しない」ボタンＢ１及び「設定する」ボタンＢ２は、第１入力操作部の一例である。
【００３６】
ここで、本実施形態では、原稿の画像を複数の電子ファイルに分割して送信する場合、従来のように区切りのページを複合機１に入力するのではなく、原稿束を複数に分割した各分割束ごとに原稿に対する画像読取動作の開始指示を受け付けるようにしている。そのため、今回画像読取動作を実施すべき分割束を複合機１にセットするよう、ユーザにガイド又は指示するようにしている。例えば、表示処理部３２は、前記画面（１）の適所に、「１つ目の原稿をセットしてください」などのメッセージを表示する。表示処理部３２は、メッセージ出力部として機能する。
【００３７】
該画面（１）において、表示処理部３２は、分割送信指示があったか否か（「設定しない」ボタンＢ１及び「設定する」ボタンＢ２のどちらが操作されたか）を判断し（ステップ♯４）、分割送信指示がない（「設定しない」ボタンＢ１が操作された）ものと判断した場合には（ステップ♯４でＮＯ）、制御部３１は、スタートキー２４の操作に基づき、一連の原稿に対する画像読取動作と該画像読取動作で得られた画像データの送信処理を複合機１内の各部に実施させ（ステップ♯５でＹＥＳ、♯６）、一連の処理を終了する。
【００３８】
一方、ステップ♯４において、表示制御部３２は、分割送信指示があった（「設定する」ボタンＢ２が操作された）ものと判断した場合には（ステップ♯４でＹＥＳ）、図６に示す画面（２）を表示部２６に表示する（ステップ♯７）。
【００３９】
図６に示す画面（２）は、画像読取動作に関わる各種パラメータ（原稿サイズや原稿の向きなど）の設定値を入力するための画面であり、前記各パラメータの設定値を設定するための画面を表示させるためのボタン群Ｂ３と、「中止」ボタンＢ４と、「読込み終了」ボタンＢ５とを有する。「中止」ボタンＢ４が操作されると、図５に示す画面（１）や図６に示す画面（２）において設定した内容がクリアされ、「読込み終了」ボタンＢ５が操作されると、図７に示す画面（３）が表示部２６に表示される。なお、図７に示す画面（３）については後述する。
【００４０】
各種パラメータ（原稿サイズや原稿の向きなど）の設定値が入力され、スタートキー２４が操作されると（ステップ♯８でＹＥＳ）、制御部３１は、複合機１にセットされた分割束の各原稿に対する画像読取動作を複合機１内の各部に実施させ、該画像読取動作で得られた各画像データを電子ファイル化してＲＡＭ（保持部の一例）に格納する（ステップ♯９）。このとき、スタートキー２４は、第２入力操作部として機能する。
【００４１】
そして、表示制御部３２は、図６に示す画面（２）の「読込み終了」ボタンＢ５が操作されたか否かを判断し（ステップ♯１０）、「読込み終了」ボタンＢ５が操作されていないものと判断した場合には（ステップ♯１０でＮＯ）、ステップ♯７に戻る。すなわち、「読込み終了」ボタンＢ５が操作されるまで、スタートキー２４が操作されるたびに画像読取動作が実施される。これにより、分割束ごとに原稿に対する画像読取動作を行うことができる。なお、ステップ♯８において、スタートキー２４が操作されていない場合には（ステップ♯８でＮＯ）、ステップ♯１０の処理を実施する。
【００４２】
表示制御部３２は、図６に示す画面（２）の「読込み終了」ボタンＢ５が操作されたものと判断すると（ステップ♯１０でＹＥＳ）、図７に示す画面（３）を表示部２６に表示する（ステップ♯１１）。
【００４３】
図７に示す画面（３）は、分割束ごとに生成された電子ファイルのファイル情報を一覧表示し、一覧表示されたファイル情報が示す電子ファイルの中から、外部機器、例えばパーソナルコンピュータに送信する対象の電子ファイルを選択する入力を行わせる画面である。なお、図７に示す画面（３）においては、各ファイル情報は、当該電子ファイル内の画像のうち１つの画像（例えば分割束の各原稿の中で最初に読み取った原稿の画像）のサムネイル画像とされており、図７に示す画面（３）には、前記ファイル情報として、各電子ファイルに対応するサムネイル画像が並べて表示されている。
【００４４】
図７に示す画面（３）において、或るサムネイル画像（図７では左上のサムネイル画像）を選択する操作（例えば該サムネイル画像の表示領域を押圧する操作）が行われると、図８に示すように、そのサムネイル画像の表示領域の表示態様が変化し、該サムネイル画像に対応する電子ファイルが送信対象として設定される（画面（４））。送信処理部３２は、第３入力操作部として機能する。
【００４５】
図７や図８に示す画面（３），（４）には、前記サムネイル画像の他に、「プレビュー」ボタンＢ６が表示されている。この「プレビュー」ボタンＢ６が操作されると、図９に示す画面（５）が表示部２６に表示される。
【００４６】
図９に示す画面（５）は、送信対象として設定した電子ファイルの中身（電子ファイルに含まれる画像）をユーザに確認させるための画面であり、該電子ファイル内の画像が所定の表示形態、例えば１枚の原稿の画像全体を前記サムネイル画像のサイズより大きなサイズに拡大した形で表示する。図９に示す画面（５）は、表示エリア移動ボタンＢ８，Ｂ９，Ｂ１０，Ｂ１１と、縮小表示ボタンＢ１２と、拡大表示ボタンＢ１３と、「閉じる」ボタンＢ１４と、ページ切替ボタンＢ１６，Ｂ１７，Ｂ１８，Ｂ１９とを有する。
【００４７】
縮小表示ボタンＢ１２は、画面（５）で現在表示されている画像を縮小して表示させる指示を入力するためのボタンである。拡大表示ボタンＢ１３は、画面（５）で現在表示されている画像を拡大して表示させる指示を入力するためのボタンである。拡大表示ボタンＢ１３が操作されると、拡大画像が前記表示領域に表示し切れなくなり、拡大画像の一部が表示領域に表示される。
【００４８】
表示エリア移動ボタンＢ８，Ｂ９，Ｂ１０，Ｂ１１は、拡大表示ボタンＢ１３の操作に基づく拡大表示によって表示し切れなくなった部分を表示させるためのボタンであり、表示エリア移動ボタンＢ８が操作されると、前記表示領域に表示させる対象が、現時点での表示領域より左側の領域に移動し、表示エリア移動ボタンＢ９が操作されると、前記表示領域に表示させる対象が、現時点での表示領域より右側の領域に移動し、表示エリア移動ボタンＢ１０が操作されると、前記表示領域に表示させる対象が、現時点での表示領域より上側の領域に移動し、表示エリア移動ボタンＢ１１が操作されると、前記表示領域に表示させる対象が、現時点での表示領域より下側の領域に移動する。
【００４９】
ページ切替ボタンＢ１６，Ｂ１７，Ｂ１８，Ｂ１９は、画面（５）で表示させる画像を切り替えるためのボタンであり、ページ切替ボタンＢ１６が操作されると、現在表示されている画像より１つ前に読み取られた原稿の画像の表示に切り替わり、ページ切替ボタンＢ１７が操作されると、現在表示されている画像より１つ後に読み取られた原稿の画像の表示に切り替わり、ページ切替ボタンＢ１８が操作されると、当該分割束の先頭のページの画像の表示に切り替わり、ページ切替ボタンＢ１９が操作されると、当該分割束の末尾のページの画像の表示に切り替わる。「閉じる」ボタンＢ１４は、図９に示す画面（５）の表示を止めて、図８に示す画面（４）の表示に戻る指示を入力するためのボタンである。
【００５０】
図３に戻り、表示制御部３２は、図７に示す画面（３）において、送信させる画像が選択され、「送信開始」ボタンＢ７により送信開始指示が入力されたか否かを判断し（ステップ♯１２）、前記画像の選択及び前記送信開始指示の入力が行われず（ステップ♯１２でＮＯ）、「中止」ボタンＢ１３が操作されたものと判断した場合には（ステップ♯１３でＹＥＳ）、ステップ♯３に戻る。
【００５１】
また、表示制御部３２は、前記画像の選択及び前記送信開始指示の入力が行われず（ステップ♯１２でＮＯ）、「中止」ボタンＢ１３が操作されていないと判断した場合には（ステップ♯１３でＮＯ）、ステップ♯１２に戻る。
【００５２】
また、ステップ♯１２において、表示制御部３２は、図７に示す画面（３）において、送信対象の画像が選択され、「送信開始」ボタンＢ７により送信開始指示が入力されたものと判断すると（ステップ♯１２でＹＥＳ）、図１０に示す画面（６）を表示部２６に表示し、送信処理部３４は、画像データの送信処理を実施する（ステップ♯１４）。送信処理部３４は、第１処理部の一例である。
【００５３】
送信処理部３４が画像データの送信処理を終えるまで（ステップ♯１５でＮＯ）、ステップ♯１４の処理を実施し、送信処理部３４が画像の送信処理を終えると（ステップ♯１５でＹＥＳ）、表示制御部３２は、図１１に示す画面（７）を表示部２に表示する（ステップ♯１６）。
【００５４】
図１１に示す画面（７）は、図７に示す画面（３）において送信対象として選択されなかった電子ファイルのファイル情報を一覧表示し、その中から送信対象の電子ファイルを再度選択する入力を行わせたり、該電子ファイルを複合機１に格納するか否かを入力させたりするための画面である。なお、図１１に示す画面（７）においては、図７に示す画面（３）と同様、各ファイル情報は、当該電子ファイルの画像のうち１つの画像（例えば分割束の各原稿の中で最初に読み取った原稿の画像）のサムネイル画像とされており、図１１に示す画面（７）には、前記ファイル情報として、各電子ファイルに対応するサムネイル画像が並べて表示されている。
【００５５】
図１１に示す画面（７）において、或るサムネイル画像（図１１では左上のサムネイル画像）を選択する操作（例えば該サムネイル画像の表示領域を押圧する操作）が行われると、矢印Ｚで示すように、そのサムネイル画像の表示領域の表示態様が変化する。該サムネイル画像に対応する電子ファイルが、送信対象として設定されたり、複合機１への保管対象として設定されたりする。表示処理部３２は、第４入力操作部として機能する。
【００５６】
この表示状態で「送信開始」ボタンＢ７が操作されると、送信処理部３４により、選択されたサムネイル画像に対応する電子ファイルがパーソナルコンピュータに送信される。ここで、「送信開始」ボタンＢ７が操作される前に、「選択していない電子ファイルを保存する」ボタンＢ１５が操作された場合には、「送信開始」ボタンＢ７が操作されたときに、格納処理部３３は、未選択の電子ファイルを記憶部３５に格納する。「選択していない電子ファイルを保存する」ボタンＢ１５は、前記第５入力操作部の一例である。
【００５７】
なお、図１１や図１２に示す画面（７），（８）においても、前記サムネイル画像の他に、「プレビュー」ボタンＢ６が表示されている。この「プレビュー」ボタンＢ６が操作されると、図９に示す画面（５）が表示部２６に表示される。
【００５８】
図４に戻り、表示制御部３２は、図１１に示す画面（７）において画像が選択されていない場合（ステップ♯１７でＮＯ）、「中止」ボタンＢ４が操作されたか否かを判断する（ステップ♯１８）。表示制御部３２は、「中止」ボタンＢ４が操作されたと判断した場合には（ステップ♯１８でＮＯ）、一連の処理を終了する一方、「中止」ボタンＢ４が操作されていないと判断した場合には（ステップ♯１８でＹＥＳ）、ステップ♯１７の処理に戻る。
【００５９】
また、ステップ♯１７において、表示制御部３２は、図１１に示す画面（７）において画像が選択された場合（ステップ♯１７でＹＥＳ）、「選択していないファイルを保存する」ボタンＢ１５が操作されたか否かを判断する（ステップ♯１９）。表示制御部３２は、「選択していないファイルを保存する」ボタンＢ１５が操作されたと判断すると（ステップ♯１９でＹＥＳ）、「選択していないファイルを保存する」ボタンＢ１５を反転表示した画面（８）を表示部２６に表示し（ステップ♯２０）、「送信開始」ボタンＢ７が操作されたか否かを判断する（ステップ♯２１）。
【００６０】
表示制御部３２は、「送信開始」ボタンＢ７が操作されるまで待機し（ステップ♯２１でＮＯ）、「送信開始」ボタンＢ７が操作されると（ステップ♯２１でＹＥＳ）、送信処理部３４は、図１１に示す画面（７）で選択された画像をパーソナルコンピュータに送信する処理を実施し、且つ、格納処理部３３は、図１１に示す画面（７）において選択されていない画像を記憶部３５に保存（格納）する処理を実施する（ステップ♯２２）。
【００６１】
一方、ステップ♯１９において、表示制御部３２は、「選択していないファイルを保存する」ボタンＢ１５が操作されていないと判断すると（ステップ♯１９でＮＯ）、「送信開始」ボタンＢ７が操作されたか否かを判断する（ステップ♯２３）。
【００６２】
表示制御部３２は、「送信開始」ボタンＢ７が操作されていない場合には（ステップ♯２３でＮＯ）、ステップ♯１９に戻る一方、「送信開始」ボタンＢ７が操作されると（ステップ♯２３でＹＥＳ）、送信処理部３４は、図１１に示す画面（７）で選択された画像をパーソナルコンピュータに送信する処理を実施し、格納処理部３３は、図１１に示す画面（７）で選択されていない画像をＲＡＭから消去する（ステップ♯２４）。送信処理部３４は、第２処理部の一例である。
【００６３】
以上のように、本実施形態では、原稿束を複数に分割した各分割束ごとに原稿に対する画像読取動作の開始指示を受け付けるようにし、今回画像読取動作を実施すべき分割束を複合機１にセットするよう、ユーザにガイド又は指示するようにしたので、原稿に対する画像読取動作を複合機１に実施させる前に、ユーザがどのページで区切るかを記憶しておく必要がなくなる。これにより、一連の画像を複数の電子ファイルに区切った状態でパーソナルコンピュータに送信する場合の利便性を向上することができる。また、区切りページの記憶違いに起因して、ユーザが目的としている電子ファイルが生成されなくなるのを防止することができる。
【００６４】
また、１度電子ファイルの送信処理を行った後に、送信を行わなかった電子ファイル（送信対象として選択されなかった電子ファイル）をユーザに報知するための画面を表示部２６に表示し、それらの画像の中から送信したい画像の選択や送信指示の入力を再度受け付けるようにしたので、１度目の選択作業で送信対象として選択し忘れた場合でも、再度の選択作業で送信対象として選択することが可能となり、ユーザの送信作業ミスをできる限り防止することができる。
【００６５】
また、最後までパーソナルコンピュータへの送信対象として選択しなかった電子ファイルを複合機１に保存可能としたので、最終的に送信しなかった電子ファイルを、現時点では必要でなくても、後に必要となった場合にその利用に供することができる。
【符号の説明】
【００６６】
１    複合機
４    原稿読取部
６    スキャナ部
２３  操作部
２４  スタートキー
２６  表示部
３１  制御部
３２  表示処理部
３３  格納処理部
３４  送信処理部
３５  記憶部
【図１】
2011035599.tif 000003
【図２】
2011035599.tif 000004
【図３】
2011035599.tif 000005
【図４】
2011035599.tif 000006
【図５】
2011035599.tif 000007
【図６】
2011035599.tif 000008
【図７】
2011035599.tif 000009
【図８】
2011035599.tif 000010
【図９】
2011035599.tif 000011
【図１０】
2011035599.tif 000012
【図１１】
2011035599.tif 000013
【図１２】
2011035599.tif 000014